(57)【要約】【課題】  学習投映などにおいて、星座やアステリズム、あるいは特定の天体等の位置を解りやすく表示することのできる恒星投映筒を提供する。【解決手段】  全天を分割したそれぞれの分割面の投映像を投映原板および光源を有する個々の恒星投映筒により投映することにより全天の恒星像を得る光学式プラネタリウムにおいて、投映する恒星のパターンが描かれた個々の恒星投映筒内の恒星原板Ａを複数の投映領域に分割し、それぞれの領域を複数の個別に調光可能な光源Ｂ１〜Ｂ４で照明し、恒星原板内の特定領域の光量を他の領域の光量に対して相対的に変化させることにより上記特定領域を観客に目立つように投映する。【選択図】      図１
2019144379.tif 000002
【特許請求の範囲】
【請求項１】
全天を分割したそれぞれの分割面の投映像を投映原板および光源を有する個々の恒星投映筒により投映することにより全天の恒星像を得る光学式プラネタリウムにおいて、投映する恒星のパターンが描かれた個々の恒星投映筒内の恒星原板を複数の投映領域に分割し、それぞれの領域を複数の個別に調光可能な光源で照明し、恒星原板内の特定領域の光量を他の領域の光量に対して相対的に変化させることにより上記特定領域を観客に目立つように投映することを特徴とするプラネタリウムの演出方法。
【請求項２】
恒星原板内の特定領域の光量を一定間隔で明滅させる請求項１記載のプラネタリウムの演出方法。
【請求項３】
光量を他の領域の光量に対して相対的に変化させる特定領域を順次変えていくことにより見かけ上移動しているような印象を観客に与える請求項１または２記載のプラネタリウムの演出方法。
【請求項４】
任意の星座が投映される領域を分割した投映領域とした請求項１から３のいずれかに記載のプラネタリウムの演出方法。
【請求項５】
任意のアステリズムが投映される領域を分割した投映領域とした請求項１から３のいずれかに記載のプラネタリウムの演出方法。
【請求項６】
任意の星座とアステリズムが投映される領域を分割した投映領域とした請求項１から３のいずれかに記載のプラネタリウムの演出方法。
【請求項７】
単一の星雲星団や恒星が投映される領域を分割した投映領域とした請求項１から６のいずれかに記載のプラネタリウムの演出方法。
【発明の詳細な説明】
【技術分野】
【０００１】
本願発明は、光学式のプラネタリウムの演出方法に関する。
【背景技術】
【０００２】
光学式のプラネタリウムにおいては全天の恒星を投映するのに際し、全天を複数の面に分割し、投映する恒星のパターンが描かれた投映原板および、この投映原板を照明する光源を有する複数の恒星投映筒によりそれぞれの分割面を投映している。すなわち、全天における恒星（星空）は複数の恒星投映筒が分担して投映している（特許文献１）。
【０００３】
これまでの恒星投映筒は、単一の光源により恒星原板を照明し星空を映しだしていた。照度の不足する輝星については、別光源をもつ投映筒によって不足する輝度を補うことが一般に行われており、別光源からの光を光ファイバーで恒星原板に導光し星空を投映するという方法（特許文献２）も提案されている。
【０００４】
同様に光ファイバーを用いて恒星原板に光束を導く方法については、特許文献３において、一つ以上の光源からの光束を光ファイバーあるいは光ファイバー束によって、全ての恒星や星座絵に対して直接原板へ導光する方法が示されている。
【０００５】
しかしながら、何れの場合も、恒星原板は単一の照明対象であり、複数の恒星原板によって映し出される星空全体を正しい明るさで投映することを目的としており、投映される星空全体を均一に調光するにとどまっていた。
【０００６】
【特許文献１】特開平９−２１８６４１号公報
【特許文献２】特開２００７−３２２８４３号公報
【特許文献３】特開昭６２- １９１８１８号公報
【特許文献４】特開平６−２８９７７６号公報
【発明の開示】
【発明が解決しようとする課題】
【０００７】
一方、学習投映等で星空を投映する場合、常に多くの星が投映されているため、周囲の星々によって星座の場所やアステリズムと呼ぶ特徴的な星の並び、あるいは特定の天体などの位置が分かり辛いといった問題を有していた。
【０００８】
このため、これらを指し示すために、矢印模様を映し出す手持ちの投映機（ポインタ）によって、星空の中で矢印を動かし、一つ一つの星を辿るなどして、星座やアステリズム等を教えていた（特許文献４）。
【０００９】
しかしながら、前記の方法では、矢印模様を追いかけることに意識が集中してしまい、対象となる天体の星空の中での位置関係を把握することが難しくかった。また、投映される矢印が辿って行く星のそばに常に光っているため、星の本来の明るさが分からず、星空の中で、本来どのように見えているのかが把握できないなど、対象を把握あるいは理解をさせるための十分な状況を作り出せないという課題があった。
【００１０】
本願発明は、以上の従来技術の問題点に鑑みて創作されたものであり、学習投映などにおいて、星座やアステリズム、あるいは特定の天体等の位置を解りやすく表示することのできるプラネタリウムの演出方法を提供することを目的とする。
【課題を解決するための手段】
【００１１】
すなわち、本願発明のプラネタリウムの演出方法は、全天を分割したそれぞれの分割面の投映像を投映原板および光源を有する個々の恒星投映筒により投映することにより全天の恒星像を得る光学式プラネタリウムにおいて、投映する恒星のパターンが描かれた個々の恒星投映筒内の恒星原板を複数の投映領域に分割し、それぞれの領域を複数の個別に調光可能な光源で照明し、恒星原板内の特定領域の光量を他の領域の光量に対して相対的に変化させることにより上記特定領域を観客に目立つように投映することを特徴とすることを特徴とする。
【００１２】
また、請求項２に記載の発明は前記のプラネタリウムの演出方法において、恒星原板内の特定領域の光量を一定間隔で明滅させることを特徴とする。
【００１３】
また、請求項３に記載の発明は前記のプラネタリウムの演出方法において、光量を他の領域の光量に対して相対的に変化させる特定領域を順次変えていくことにより見かけ上移動しているような印象を観客に与えることを特徴とする。
【００１４】
また、請求項４に記載の発明は前記のプラネタリウムの演出方法において、任意の星座が投映される領域を分割した投映領域としたことを特徴とする。
【００１５】
また、請求項５に記載の発明は前記のプラネタリウムの演出方法において、任意のアステリズムが投映される領域を分割した投映領域としたことを特徴とする。
【００１６】
また、請求項６に記載の発明は前記のプラネタリウムの演出方法において、任意の星座とアステリズムが投映される領域を分割した投映領域としたことを特徴とする。
【００１７】
また、請求項７に記載の発明は前記のプラネタリウムの演出方法において、単一の星雲星団や恒星が投映される領域を分割した投映領域としたことを特徴とする。
【発明の効果】
【００１８】
以上の構成よりなる本願発明のプラネタリウムの演出方法によれば、注目させたい領域の星空を明滅させたり、逆に、注目させたくない領域の星空を暗くすることで、注目させたい領域の星の並びを分かりやすく示すことが可能となる。
【００１９】
前記の場合、矢印模様などを用いて星を指し示す必要が無いため、個々の星の明るさ、近傍の星の並びや明るさについても把握することが出来るので、注目させたい領域が星空全体の中のどこにあり、その周囲にはどのような星の並びがあるのかも同時に認識することが出来るから、これまでよりも深く理解できる状況を作り出すことが可能である。
【００２０】
また、星座などを示す以外の効果として、例えば、理科の学習を目的とした投映において、日周運動で各方位の星々がどのように動いていくのかを示すために、特定の方位にある星座だけを明るいまま示し他を暗くしておけば、特定の方位の星々の動きに注意を向けさせることが出来るから、その方位の星の動きがどのようになるのかを特別な装置を使ったり、その方位の星の動きを説明する画像などを映し出さずとも理解させることが出来る。
【００２１】
また、季節によって見える星座が異なることについても、同様の方法によって分かりやすく見せることができる。
【００２２】
さらに、上記のような特定の明るいままの領域を順次移動させていけば、観客の視線を目的の方向に自然に誘導することができる。すなわち、観客の視線を誘導しながら、目的の星座やアステリズムなどを示し、さらに、その星座にある有名な恒星や変光星あるいは星雲星団について、対象以外を暗く投映したり、あるいは対象を明滅させることによってその位置を示せば、見えている星空の中での対象の位置、あるいは明るさを含む見え方を容易に理解することが出来る。
【図面の簡単な説明】
【００２３】
【図１】本願発明のプラネタリウムの演出方法に使用するプラネタリウムの恒星投映筒の正面図。
【図２】同上、左側断面図。
【図３】同上、電気回路のブロック図。
【図４】従来技術のプラネタリウムが映し出す星空の概念図。
【図５】従来技術のプラネタリウムが映し出す星空の概念図。
【図６】本願発明のプラネタリウムの演出方法により映し出す星空の概念図。
【図７】本願発明のプラネタリウムの演出方法により映し出す星空の概念図。
【図８】本願発明のプラネタリウムの演出方法により映し出す星空の概念図。
【図９】本願発明のプラネタリウムの演出方法により映し出す星空の概念図。
【図１０】本願発明のプラネタリウムの演出方法により映し出す星空の概念図。
【発明を実施するための最良の形態】
【００２４】
従来技術のプラネタリウムが映し出す星空を図４に示す。通常は、星座を説明するために図５の様に星座線を投映し星座の説明をする。しかしながら、多数の恒星に埋もれた中で、星座の位置や形を辿るのは困難である。
【００２５】
しかしながら、本発明によれば、例えば、図６のようにその星座の目印となる明るい恒星以外を暗く映し出すことで注目すべき星を示し、そのうえで、図７〜９に示すように個別の星座の領域を順次通常の明るさで投映することで、星座の位置や形を示すことが出来る。もちろん、必要であれば図１０で示すように、それら星座の領域を通常の明るさで投映するとともに個々の星座線を投映し、個々の星座を明示的に示してもよい。
【００２６】
さらに、既に述べたように、図７〜９で示す個々の星座領域を強調した投映状態と、図４で示した通常の投映状態を交互に繰り返すことで、星座の天空上での位置だけでなく、他の星座との位置関係、あるいは、近傍の星との明るさの関係を容易に見て取ることが出来る。
【００２７】
また、図６で示した目印となる明るい星は、「夏の大三角」と呼ばれるアステリズムを示しており、図４と比べ明らかなように、結ぶべき星を明確に示すことが出来ている。よって、図４と図６の状態を交互に繰り返すことで、「夏の大三角」を明確に示すことが出来る。このことからわかるように、本発明がアステリズムの位置や形を指し示すことにも優れていることがわかる。
【００２８】
次に、本願発明のプラネタリウムの演出方法に使用するプラネタリウムの恒星投映筒の具体的実施例を添付図面に基づいて説明する。図１は、前記のプラネタリウムの恒星投映筒の正面図であり、内部の機構を概念的に図示している。図中符号Ａは投映する恒星のパターンが描かれた投映原板であり、ここでは３つの分割領域１〜３に分割している。図中符号Ｊ１およびJ ２は隣接する各分割領域の境界を示す仮想線である。また、図中符号Ｈ１〜Ｈ４は各分割領域１〜３内の恒星または星雲星団の位置であり、ここでは区別しやすいように星型で概念的に示している。
【００２９】
図中符号Ｂ１〜Ｂ４は個々の分割領域を照明する光源であり、ここでは分割領域１を２つの光源Ｂ１とＢ２で、同じく２を光源Ｂ３で、同じく３を光源Ｂ４で照明する構成としている。なお、前記の光源は図１においては仮想的に図示したものであり、実際は恒星原板Ａの奥にある光源ベース板上に配置される。
【００３０】
図２は本願発明のプラネタリウムの演出方法に使用するプラネタリウムの恒星投映筒の左側断面図である。図中符号Ｇは光源ベース板であり、投映原板Ａの分割領域１を照明するための光源Ｂ１、Ｂ２、同じく２を照明するための光源Ｂ３、同じく３を照明するための光源Ｂ４が設けられる。
【００３１】
前記の各光源からの光束は導光用のレンズＤを介して投映原板Ａの各分割領域に達するが、ここでは個々の光源からの光により照明される恒星原板の対応する各投映領域内に隣接する投映領域の照明光束が入らないように、恒星投映筒内に各投映領域同士の境界に沿った光学的な仕切り手段が設けられれている。ここでは前記の仕切り手段として投映領域２と３の境界には分割線J ２と同じ曲線を有する仕切り板Ｅを設けている。
【００３２】
また、投映領域１に対する２と３の境界には外周形状の一側が分割線J １と同じ曲線を有する仕切りブロックＦを設けている。この仕切りブロックＦは光源Ｂ１からの光束が透過する透明な固体からなり、端面（図において太線で示す）を不透明または反射面としている。この仕切りブロックＦは透明な個体であるから、これを導光用のレンズＤを一体として形成してもよい。また、仕切りブロックＦは、恒星原板Ａと密着させることで、分割領域をはっきりと分けるが出来るが、必要に応じて、恒星原板Ａと間隔をあけるなどして、分割線Ｊ１、J ２付近に双方の光束が入るようにすることで、分割領域にぼかし効果を与えてもよい。
【００３３】
なお、ここでは光源Ｂ２からの光束は光ファイバーＣによって直接恒星原板Ａ上の恒星または星雲星団Ｈ２に導くことで、特定の恒星や星雲星団を分割領域としている。この場合、光ファイバーＣは、恒星原板Ａ上の特定の位置に正確に配置される必要があるが、ここでは仕切りブロックＦ及びレンズＤに穴を開け、その中に光ファイバーＣを通し光ファイバーＣの保持する例を示した。光ファイバーＣは、必要に応じて、セパレータブロックＦやレンズＤ、あるいは恒星原板Ａと接着してもよい。
【００３４】
図３は本願発明のプラネタリウムの演出方法に使用するプラネタリウムの恒星投映筒の電気回路のブロック図であり、光源ベース板Ｇにある光源Ｂ１〜Ｂ４の制御方法を示す図である。光源Ｂ１〜Ｂ４は、それぞれ異なる調光装置Ｌ１〜Ｌ４に接続され、調光装置は、その恒星投映筒の調光装置を制御する恒星投映筒制御装置Ｋに接続されている。恒星投映筒制御装置Ｋは、プラネタリウムのより上位の制御装置からの指令により動作する。
【００３５】
一般的な運用において光源Ｂ１〜Ｂ４は、常に同一の指示値が恒星投映筒制御装置Ｋより調光制御装置Ｌ１〜Ｌ４に送られ、これまでの恒星投映筒と同じ機能を果たす。
【００３６】
次に、本願発明が企図する作用・効果を得るための光源Ｂ１〜Ｂ４の制御方法の具体例を下記する。
【００３７】
(1) 光源ベースＧ上の光源Ｂ３を含む分割領域２を注目させたい場合、恒星投映筒制御装置Ｋから調光装置Ｌ３に対して明るさを５０％とする指令と明るさと１００％とする指令を交互に一定の間隔を持って与えれば、対象を明滅させることができる。調光装置Ｌ３に対して明るさ１００％とする指令を出し、光源Ｂ３を１００％の明るさで発光させ、調光装置Ｌ１、２、４および他の恒星投映筒に対して明るさ１０％となる指示を出し、光源Ｂ１、２、４および他の恒星投映筒の光源を１０％の明るさで発光させることで、光源Ｂ３を含む分割領域へ注意を向けさせることができる。
【００３８】
(2) 図１において恒星や星雲星団として示した分割領域１内の光源Ｂ２を含む分割領域は、光源Ｂ１によって囲まれており、分割領域１に内包された階層的な分割領域である。初めに(1) に示した場合と同様に、光源Ｂ１を含む分割領域に注意を向けるため、調光装置Ｌ１、Ｌ２に１００％の明るさの指令値を恒星筒制御装置Ｋより出し、暗く表現する光源Ｂ３、Ｂ４を含む分割領域は調光装置Ｌ３、Ｌ４に対して１０‰の明るさとなるように指令値を出す。他の恒星投映筒についてはすべての光源を１０％の明るさとなるように指令値を出す。
【００３９】
さらに、光源Ｂ１を含む領域で囲まれた光源Ｂ２の分割領域の恒星あるいは星雲星団の位置を示すため、調光装置Ｌ２に対して一定間隔で明滅するような指令値を繰り返し出せば、光源Ｂ１を含む分割領域の中の恒星あるいは星雲星団Ｈ２の位置を明確に示すことができる。必要に応じて、全ての恒星投映筒の光源を１００％の明るさとなるように戻してやれば、天空上での位置だけでなく、他の星座との位置関係、あるいは、他の星との明るさの関係を容易に見て取ることができる。
【符号の説明】
【００４０】
Ａ      恒星原板
１      分割領域
２      分割領域
３      分割領域
Ｂ１    光源
Ｂ２    光源
Ｂ３    光源
Ｂ４    光源
Ｃ      光ファイバー
Ｄ      レンズ
Ｅ      仕切り板
Ｆ      仕切りブロック
J １    分割線
J ２    分割線
Ｈ１    各分割領域内の恒星または星雲星団の位置
Ｈ２    各分割領域内の恒星または星雲星団の位置
Ｈ３    各分割領域内の恒星または星雲星団の位置
Ｈ４    各分割領域内の恒星または星雲星団の位置
Ｈ１    各分割領域内の恒星または星雲星団の位置
Ｌ１    調光装置
Ｌ２    調光装置
Ｌ３    調光装置
Ｌ４    調光装置
Ｋ      恒星投映筒制御装置
【図１】
2019144379.tif 000003
【図２】
2019144379.tif 000004
【図３】
2019144379.tif 000005
【図４】
2019144379.tif 000006
【図５】
2019144379.tif 000007
【図６】
2019144379.tif 000008
【図７】
2019144379.tif 000009
【図８】
2019144379.tif 000010
【図９】
2019144379.tif 000011
【図１０】
2019144379.tif 000012